(57)【要約】【課題】次世代の地上デジタル放送伝送方式において、伝送レートの向上と共に雑音耐性の向上を実現すること。【解決手段】本発明に係る送信装置１は、階層データをデータキャリアにマッピングするように構成されているマッピング部１１ａ／１１ｂを具備しており、マッピング部１１ａ／１１ｂは、キャリア変調方式の種類に対応するテーブルに従って、各信号点のＩ軸上の配置及びＱ軸上の配置を決定するように構成されている。【選択図】図２
2018110376.tif 000002
【特許請求の範囲】
【請求項１】
ＯＦＤＭ信号を送信するように構成されている送信装置であって、
１以上の階層データをキャリア変調方式の種類に対応するテーブルに従ってデータキャリアにマッピングするように構成されているマッピング部を具備しており、
前記マッピング部は、キャリア変調方式として１６ＱＡＭが用いられる場合で、且つ、符号化率が５／１５である場合に、
【表１】
2018110376.tif 000027
に従って、各信号点（シンボル）のＩ軸上の配置（コンスタレーション）及びＱ軸上の配置を決定するように構成されていることを特徴とする送信装置。
【請求項２】
請求項１に記載の送信装置から送信されたＯＦＤＭ信号を受信するように構成されている受信装置であって、
１以上の階層データをキャリア変調方式の種類に対応するテーブルに従ってデータキャリアからデマッピングするように構成されているデマッピング部を具備しており、
前記デマッピング部は、キャリア変調方式として１６ＱＡＭが用いられる場合で、且つ、符号化率が５／１５である場合に、
【表１】
2018110376.tif 000028
に従って、各信号点（シンボル）のＩ軸上の配置（コンスタレーション）及びＱ軸上の配置を決定するように構成されていることを特徴とする受信装置。
【請求項３】
コンピュータを、請求項１に記載の送信装置として機能させるためのプログラムを実行するプロセッサによって構成されるチップ。
【請求項４】
コンピュータを、請求項２に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
現在、現行の地上デジタル放送伝送方式に代わる新たな次世代の地上デジタル放送伝送方式の検討が進められている。
【０００３】
かかる次世代の地上デジタル放送伝送方式では、キャリア変調方式として、１６ＱＡＭ（Ｑｕａｄｒａｔｕｒｅ  Ａｍｐｌｉｔｕｄｅ  Ｍｏｄｕｌａｔｉｏｎ）や６４ＱＡＭや２５６ＱＡＭや１０２４ＱＡＭや４０９６ＱＡＭを用いることが検討されている。
【先行技術文献】
【特許文献】
【０００４】
【特許文献１】特開２０１６−１２２９３４号公報
【発明の概要】
【発明が解決しようとする課題】
【０００５】
しかしながら、次世代の地上デジタル放送伝送方式を実現するに際して、従来のキャリア変調におけるコンスタレーションでは、雑音耐性を十分に確保することができないという問題点があった。
【０００６】
そこで、本発明は、上述した課題を解決するためになされたものであり、次世代の地上デジタル放送伝送方式において、伝送レートの向上と共に雑音耐性の向上を実現することができる送信装置、受信装置及びチップを提供することを目的とする。
【課題を解決するための手段】
【０００７】
本発明の第１の特徴は、ＯＦＤＭ信号を送信するように構成されている送信装置であって、１以上の階層データをキャリア変調方式の種類に対応するテーブルに従ってデータキャリアにマッピングするように構成されてマッピング部を具備する送信装置であって、前記マッピング部は、キャリア変調方式として１６ＱＡＭが用いられる場合で、且つ、符号化率が５／１５である場合に、
【表１】
2018110376.tif 000003
に従って、各信号点（シンボル）のＩ軸上の配置（コンスタレーション）及びＱ軸上の配置を決定するように構成されていることを要旨とする。
【０００８】
本発明の第２の特徴は、上述の第１の特徴に係る信装置から送信されたＯＦＤＭ信号を受信するように構成されている受信装置であって、１以上の階層データをキャリア変調方式の種類に対応するテーブルに従ってデータキャリアからデマッピングするように構成されてデマッピング部を具備する受信装置であって、前記デマッピング部は、キャリア変調方式として１６ＱＡＭが用いられる場合で、且つ、符号化率が５／１５である場合に、
【表１】
2018110376.tif 000004
に従って、各信号点（シンボル）のＩ軸上の配置（コンスタレーション）及びＱ軸上の配置を決定するように構成されていることを要旨とする。
【０００９】
本発明の第３の特徴は、コンピュータを、上述の第１の特徴に記載の送信装置として機能させるためのプログラムを実行するプロセッサによって構成されるチップであることを要旨とする。
【００１０】
本発明の第４の特徴は、コンピュータを、上述の第２の特徴に記載の受信装置として機能させるためのプログラムを実行するプロセッサによって構成されるチップであることを要旨とする。
【発明の効果】
【００１１】
本発明によれば、次世代の地上デジタル放送伝送方式において、伝送レートの向上と共に雑音耐性の向上を実現することができる送信装置、受信装置及びチップを提供することができる。
【図面の簡単な説明】
【００１２】
【図１】図１は、第１の実施形態に係る送信装置１の構成図の一例である。
【図２】図２は、第１の実施形態に係る送信装置１のマッピング部１１ａ／１１ｂによってマッピングされる各信号点の配置の一例を示す図である。
【図３】図３は、第１の実施形態に係る送信装置１のマッピング部１１ａ／１１ｂによってマッピングされる各信号点の配置の一例を示す図である。
【図４】図４は、第１の実施形態に係る送信装置１のマッピング部１１ａ／１１ｂによってマッピングされる各信号点の配置の一例を示す図である。
【図５】図５は、第１の実施形態に係る送信装置１のマッピング部１１ａ／１１ｂによってマッピングされる各信号点の配置の一例を示す図である。
【図６】図６は、第１の実施形態に係る送信装置１のマッピング部１１ａ／１１ｂによってマッピングされる各信号点の配置の一例を示す図である。
【図７】図７は、第１の実施形態に係る送信装置１のマッピング部１１ａ／１１ｂによってマッピングされる各信号点の配置の一例を示す図である。
【図８】図８は、第１の実施形態に係る送信装置１のマッピング部１１ａ／１１ｂによってマッピングされる各信号点の配置の一例を示す図である。
【図９】図９は、第１の実施形態に係る送信装置１のマッピング部１１ａ／１１ｂによってマッピングされる各信号点の配置の一例を示す図である。
【図１０】図１０は、第１の実施形態に係る送信装置１のマッピング部１１ａ／１１ｂによってマッピングされる各信号点の配置の一例を示す図である。
【図１１】図１１は、第１の実施形態に係る送信装置１のマッピング部１１ａ／１１ｂによってマッピングされる各信号点の配置の一例を示す図である。
【図１２】図１２は、第１の実施形態に係る送信装置１のマッピング部１１ａ／１１ｂによってマッピングされる各信号点の配置の一例を示す図である。
【図１３】図１３は、第１の実施形態に係る送信装置１のマッピング部１１ａ／１１ｂによってマッピングされる各信号点の配置の一例を示す図である。
【図１４】図１４は、第１の実施形態に係る送信装置１のマッピング部１１ａ／１１ｂによってマッピングされる各信号点の配置の一例を示す図である。
【図１５】図１５は、第１の実施形態に係る送信装置１のマッピング部１１ａ／１１ｂによってマッピングされる各信号点の配置の一例を示す図である。
【図１６】図１６は、第１の実施形態に係る送信装置１のマッピング部１１ａ／１１ｂによってマッピングされる各信号点の配置の一例を示す図である。
【図１７】図１７は、第１の実施形態に係る送信装置１のマッピング部１１ａ／１１ｂによってマッピングされる各信号点の配置の一例を示す図である。
【図１８】図１８は、第１の実施形態に係る送信装置１のマッピング部１１ａ／１１ｂによってマッピングされる各信号点の配置の一例を示す図である。
【図１９】図１９は、第１の実施形態に係る送信装置１のマッピング部１１ａ／１１ｂによってマッピングされる各信号点の配置の一例を示す図である。
【図２０】図２０は、第１の実施形態に係る送信装置１のマッピング部１１ａ／１１ｂによってマッピングされる各信号点の配置の一例を示す図である。
【図２１】図２１は、第１の実施形態に係る送信装置１のマッピング部１１ａ／１１ｂによってマッピングされる各信号点の配置の一例を示す図である。
【図２２】図２２は、第１の実施形態に係る送信装置１のマッピング部１１ａ／１１ｂによってマッピングされる各信号点の配置の一例を示す図である。
【図２３】図２３は、第１の実施形態に係る送信装置１のマッピング部１１ａ／１１ｂによってマッピングされる各信号点の配置の一例を示す図である。
【図２４】図２４は、第１の実施形態に係る送信装置１のマッピング部１１ａ／１１ｂによってマッピングされる各信号点の配置を説明するための図の一例である。
【図２５】図２５は、第１の実施形態に係る送信装置１のマッピング部１１ａ／１１ｂによってマッピングされる各信号点の配置を説明するための図の一例である。
【図２６】図２６は、第１の実施形態に係る送信装置１のマッピング部１１ａ／１１ｂによってマッピングされる各信号点の配置を説明するための図の一例である。
【図２７】図２７は、第１の実施形態に係る送信装置１のマッピング部１１ａ／１１ｂによってマッピングされる各信号点の配置を説明するための図の一例である。
【図２８】図２８は、第１の実施形態に係る送信装置１のマッピング部１１ａ／１１ｂによってマッピングされる各信号点の配置を説明するための図の一例である。
【図２９】図２９は、第１の実施形態に係る送信装置１のマッピング部１１ａ／１１ｂによってマッピングされる各信号点の配置を説明するための図の一例である。
【図３０】図３０は、第１の実施形態に係る受信装置３の構成図の一例である。
【発明を実施するための形態】
【００１３】
（第１の実施形態）
以下、図１〜図３０を参照して、本発明の第１の実施形態に係る放送システムについて説明する。本実施形態に係る放送システムは、上述の次世代の地上デジタル放送伝送方式に対応するように構成されており、例えば、図１に示す送信装置１及び図３０に示す受信装置３を具備する。
【００１４】
本実施形態に係る送信装置１は、ＯＦＤＭ信号を送信するように構成されており、２階層までの階層伝送を行うように構成されている。具体的には、本実施形態に係る送信装置１は、１以上の階層データ（本実施形態では、Ａ階層データ及びＢ階層データ）を送信することができるように構成されている。例えば、Ａ階層データは、移動受信向けの放送用データであり、Ｂ階層データは、固定受信向けの放送用データであることが想定されている。
【００１５】
なお、本実施形態に係る送信装置１は、Ａ階層データ及びＢ階層データを、部分受信帯域データ及び非部分受信帯域データを含むＯＦＤＭ信号によって送信するように構成されている。
【００１６】
図１に示すように、本実施形態に係る送信装置１は、マッピング部１１ａ、１１ｂと、レベル調整部１２ａ、１２ｂと、階層合成部１３と、時間インターリーブ部１４と、階層内セグメント間インターリーブ部１５ａ、１５ｂと、分離合成部１６と、周波数インターリーブ部１７と、帯域合成部１８と、ＯＦＤＭフレーム構成部１９と、ＩＦＦＴ部２０と、送信部２１とを具備している。
【００１７】
マッピング部１１ａは、Ａ階層データ（第１階層データ）をデータキャリアにマッピングするように構成されており、マッピング部１１ｂは、Ｂ階層データ（第２階層データ）をデータキャリアにマッピングするように構成されている。
【００１８】
具体的には、マッピング部１１ａ／１１ｂは、キャリア変調方式の種類に対応するテーブルに従って、各信号点（シンボル）のＩ軸上の配置（コンスタレーション）及びＱ軸上の配置を決定するように構成されている。
【００１９】
なお、マッピング部１１ａ／１１ｂは、コンスタレーションとして、均一コンスタレーション（ＵＣ：Ｕｎｉｆｏｒｍ  Ｃｏｎｓｔｅｌｌａｔｉｏｎ）及び不均一コンスタレーション（ＮＵＣ：Ｎｏｎ−Ｕｎｉｆｏｒｍ  Ｃｏｎｓｔｅｌｌａｔｉｏｎ）のいずれも用いることができるように構成されている。
【００２０】
ここで、マッピング部１１ａ／１１ｂは、ＱＰＳＫ（Ｑｕａｄｒａｔｕｒｅ  Ｐｈａｓｅ  Ｓｈｉｆｔ  Ｋｅｙｉｎｇ）や１６ＱＡＭや６４ＱＡＭや２５６ＱＡＭや１０２４ＱＡＭや４０９６ＱＡＭのキャリア変調方式に対応しており、ＥＴＳＩ−ＥＮ３０２７６９の第６．２．２節の「Ｃｅｌｌ  ｗｏｒｄ  ｍａｐｐｉｎｇ  ｉｎｔｏ  Ｉ／Ｏ  ｃｏｎｓｔｅｌｌａｔｉｏｎｓ」のグレイ・コード配置が用いられている均一コンスタレーションを用いるように構成されていてもよい。
【００２１】
一方、マッピング部１１ａ／１１ｂは、以下に示すように、不均一コンスタレーションを用いるように構成されていてもよい。
【００２２】
例えば、マッピング部１１ａ／１１ｂは、キャリア変調方式として１６ＱＡＭが用いられる場合で、且つ、符号化率が５／１５（ＡＲＩＢ  ＳＴＤ−Ｂ４４における符号化率ｒ＝４９／１２０と同一）である場合に、
【表１】
2018110376.tif 000005
に従って、各信号点のＩ軸上の配置及びＱ軸上の配置を決定するように構成されていてもよい。図２に、かかる場合の各信号点のＩ軸上の配置及びＱ軸上の配置を示す。
【００２３】
なお、本明細書において、「符号化率が５／１５（ＡＲＩＢ  ＳＴＤ−Ｂ４４における符号化率ｒ＝４９／１２０と同一）である場合」とは、符号化率５／１５の誤り訂正符号としてＡＲＩＢ  ＳＴＤ−Ｂ４４における符号化率ｒ＝４１／１２０のＬＤＰＣ符号を用いる場合を意味する。すなわち、かかる記載は、符号化率が厳密に５／１５であることに限定するものではない。以下で述べる他の符号化率についても同様である。
【００２４】
また、マッピング部１１ａ／１１ｂは、キャリア変調方式として１６ＱＡＭが用いられる場合で、且つ、符号化率が６／１５（ＡＲＩＢ  ＳＴＤ−Ｂ４４における符号化率ｒ＝４９／１２０と同一）である場合に、
【表２】
2018110376.tif 000006
に従って、各信号点のＩ軸上の配置及びＱ軸上の配置を決定するように構成されていてもよい。図３に、かかる場合の各信号点のＩ軸上の配置及びＱ軸上の配置を示す。
【００２５】
また、マッピング部１１ａ／１１ｂは、キャリア変調方式として１６ＱＡＭが用いられる場合で、且つ、符号化率が８／１５（ＡＲＩＢ  ＳＴＤ−Ｂ４４における符号化率ｒ＝６１／１２０と同一）である場合に、
【表３】
2018110376.tif 000007
に従って、各信号点のＩ軸上の配置及びＱ軸上の配置を決定するように構成されていてもよい。図４に、かかる場合の各信号点のＩ軸上の配置及びＱ軸上の配置を示す。
【００２６】
また、マッピング部１１ａ／１１ｂは、キャリア変調方式として１６ＱＡＭが用いられる場合で、且つ、符号化率が９／１５（ＡＲＩＢ  ＳＴＤ−Ｂ４４における符号化率ｒ＝７３／１２０と同一）である場合に、
【表４】
2018110376.tif 000008
に従って、各信号点のＩ軸上の配置及びＱ軸上の配置を決定するように構成されていてもよい。図５に、かかる場合の各信号点のＩ軸上の配置及びＱ軸上の配置を示す。
【００２７】
また、マッピング部１１ａ／１１ｂは、キャリア変調方式として１６ＱＡＭが用いられる場合で、且つ、符号化率が１０／１５（ＡＲＩＢ  ＳＴＤ−Ｂ４４における符号化率ｒ＝８１／１２０と同一）である場合に、
【表５】
2018110376.tif 000009
に従って、各信号点のＩ軸上の配置及びＱ軸上の配置を決定するように構成されていてもよい。図６に、かかる場合の各信号点のＩ軸上の配置及びＱ軸上の配置を示す。
【００２８】
また、マッピング部１１ａ／１１ｂは、キャリア変調方式として１６ＱＡＭが用いられる場合で、且つ、符号化率が１１／１５（ＡＲＩＢ  ＳＴＤ−Ｂ４４における符号化率ｒ＝８９／１２０と同一）である場合に、
【表６】
2018110376.tif 000010
に従って、各信号点のＩ軸上の配置及びＱ軸上の配置を決定するように構成されていてもよい。図７に、かかる場合の各信号点のＩ軸上の配置及びＱ軸上の配置を示す。
【００２９】
また、マッピング部１１ａ／１１ｂは、キャリア変調方式として１６ＱＡＭが用いられる場合で、且つ、符号化率が１２／１５（ＡＲＩＢ  ＳＴＤ−Ｂ４４における符号化率ｒ＝９７／１２０と同一）である場合に、
【表７】
2018110376.tif 000011
に従って、各信号点のＩ軸上の配置及びＱ軸上の配置を決定するように構成されていてもよい。図８に、かかる場合の各信号点のＩ軸上の配置及びＱ軸上の配置を示す。
【００３０】
また、マッピング部１１ａ／１１ｂは、キャリア変調方式として１６ＱＡＭが用いられる場合で、且つ、符号化率が１３／１５（ＡＲＩＢ  ＳＴＤ−Ｂ４４における符号化率ｒ＝１０５／１２０と同一）である場合に、
【表８】
2018110376.tif 000012
に従って、各信号点のＩ軸上の配置及びＱ軸上の配置を決定するように構成されていてもよい。図９に、かかる場合の各信号点のＩ軸上の配置及びＱ軸上の配置を示す。
【００３１】
また、マッピング部１１ａ／１１ｂは、キャリア変調方式として６４ＱＡＭが用いられる場合で、且つ、符号化率が５／１５である場合に、
【表９】
2018110376.tif 000013
に従って、各信号点のＩ軸上の配置及びＱ軸上の配置を決定するように構成されていてもよい。図１０に、かかる場合の各信号点のＩ軸上の配置及びＱ軸上の配置を示す。
【００３２】
また、マッピング部１１ａ／１１ｂは、キャリア変調方式として６４ＱＡＭが用いられる場合で、且つ、符号化率が６／１５である場合に、
【表１０】
2018110376.tif 000014
に従って、各信号点のＩ軸上の配置及びＱ軸上の配置を決定するように構成されていてもよい。図１１に、かかる場合の各信号点のＩ軸上の配置及びＱ軸上の配置を示す。
【００３３】
また、マッピング部１１ａ／１１ｂは、キャリア変調方式として６４ＱＡＭが用いられる場合で、且つ、符号化率が８／１５である場合に、
【表１１】
2018110376.tif 000015
に従って、各信号点のＩ軸上の配置及びＱ軸上の配置を決定するように構成されていてもよい。図１２に、かかる場合の各信号点のＩ軸上の配置及びＱ軸上の配置を示す。
【００３４】
また、マッピング部１１ａ／１１ｂは、キャリア変調方式として６４ＱＡＭが用いられる場合で、且つ、符号化率が９／１５である場合に、
【表１２】
2018110376.tif 000016
に従って、各信号点のＩ軸上の配置及びＱ軸上の配置を決定するように構成されていてもよい。図１３に、かかる場合の各信号点のＩ軸上の配置及びＱ軸上の配置を示す。
【００３５】
また、マッピング部１１ａ／１１ｂは、キャリア変調方式として６４ＱＡＭが用いられる場合で、且つ、符号化率が１０／１５である場合に、
【表１３】
2018110376.tif 000017
に従って、各信号点のＩ軸上の配置及びＱ軸上の配置を決定するように構成されていてもよい。図１４に、かかる場合の各信号点のＩ軸上の配置及びＱ軸上の配置を示す。
【００３６】
また、マッピング部１１ａ／１１ｂは、キャリア変調方式として６４ＱＡＭが用いられる場合で、且つ、符号化率が１１／１５である場合に、
【表１４】
2018110376.tif 000018
に従って、各信号点のＩ軸上の配置及びＱ軸上の配置を決定するように構成されていてもよい。図１５に、かかる場合の各信号点のＩ軸上の配置及びＱ軸上の配置を示す。
【００３７】
また、マッピング部１１ａ／１１ｂは、キャリア変調方式として６４ＱＡＭが用いられる場合で、且つ、符号化率が１２／１５である場合に、
【表１５】
2018110376.tif 000019
に従って、各信号点のＩ軸上の配置及びＱ軸上の配置を決定するように構成されていてもよい。図１６に、かかる場合の各信号点のＩ軸上の配置及びＱ軸上の配置を示す。
【００３８】
また、マッピング部１１ａ／１１ｂは、キャリア変調方式として２５６ＱＡＭが用いられる場合で、且つ、符号化率が５／１５である場合に、
【表１６】
2018110376.tif 000020
に従って、各信号点のＩ軸上の配置及びＱ軸上の配置を決定するように構成されていてもよい。図１７に、かかる場合の各信号点のＩ軸上の配置及びＱ軸上の配置を示す。
【００３９】
また、マッピング部１１ａ／１１ｂは、キャリア変調方式として２５６ＱＡＭが用いられる場合で、且つ、符号化率が６／１５である場合に、
【表１７】
2018110376.tif 000021
に従って、各信号点のＩ軸上の配置及びＱ軸上の配置を決定するように構成されていてもよい。図１８に、かかる場合の各信号点のＩ軸上の配置及びＱ軸上の配置を示す。
【００４０】
また、マッピング部１１ａ／１１ｂは、キャリア変調方式として２５６ＱＡＭが用いられる場合で、且つ、符号化率が８／１５である場合に、
【表１８】
2018110376.tif 000022
に従って、各信号点のＩ軸上の配置及びＱ軸上の配置を決定するように構成されていてもよい。図１９に、かかる場合の各信号点のＩ軸上の配置及びＱ軸上の配置を示す。
【００４１】
また、マッピング部１１ａ／１１ｂは、キャリア変調方式として２５６ＱＡＭが用いられる場合で、且つ、符号化率が９／１５である場合に、
【表１９】
2018110376.tif 000023
に従って、各信号点のＩ軸上の配置及びＱ軸上の配置を決定するように構成されていてもよい。図２０に、かかる場合の各信号点のＩ軸上の配置及びＱ軸上の配置を示す。
【００４２】
また、マッピング部１１ａ／１１ｂは、キャリア変調方式として２５６ＱＡＭが用いられる場合で、且つ、符号化率が１０／１５である場合に、
【表２０】
2018110376.tif 000024
に従って、各信号点のＩ軸上の配置及びＱ軸上の配置を決定するように構成されていてもよい。図２１に、かかる場合の各信号点のＩ軸上の配置及びＱ軸上の配置を示す。
【００４３】
また、マッピング部１１ａ／１１ｂは、キャリア変調方式として２５６ＱＡＭが用いられる場合で、且つ、符号化率が１１／１５である場合に、
【表２１】
2018110376.tif 000025
に従って、各信号点のＩ軸上の配置及びＱ軸上の配置を決定するように構成されていてもよい。図１５に、かかる場合の各信号点のＩ軸上の配置及びＱ軸上の配置を示す。
【００４４】
また、マッピング部１１ａ／１１ｂは、キャリア変調方式として２５６ＱＡＭが用いられる場合で、且つ、符号化率が１３／１５である場合に、
【表２２】
2018110376.tif 000026
に従って、各信号点のＩ軸上の配置及びＱ軸上の配置を決定するように構成されていてもよい。図２３に、かかる場合の各信号点のＩ軸上の配置及びＱ軸上の配置を示す。
【００４５】
以下、図２４〜図２９を参照して、キャリア変調方式として１０２４ＱＡＭ及び４０９６ＱＡＭが用いられる場合の各信号点のＩ軸上の配置及びＱ軸上の配置の決定方法について説明する。
【００４６】
第１に、マッピング部１１ａ／１１ｂは、キャリア変調方式として１０２４ＱＡＭが用いられている場合、図２４〜図２６に示すテーブルを用いて、各信号点のＩ軸上の配置及びＱ軸上の配置を決定するように構成されている。
【００４７】
図２４に示すテーブルは、符号化率が５／１５、６／１５、９／１５、１０／１５、１１／１５、１２／１５及び１３／１５の場合のｕ０〜ｕ１５の値を規定している。
【００４８】
また、図２５は、入力シンボルの実数部分の配置（Ｉ軸上の配置）を示すｕの値を規定しており、図２６は、入力シンボルの虚数部分の配置（Ｑ軸上の配置）を示すｕの値を規定している。
【００４９】
具体的には、マッピング部１１ａ／１１ｂは、図２５及び図２６を参照して、入力シンボルの実数部分の配置を示すｕの値及び入力シンボルの虚数部分の配置を示すｕの値を算出し、図２４を参照して、これらのｕの値に対応する入力シンボルのＩ軸上の配置（実数部分の配置）及びＱ軸上の配置（虚数部分の配置）を決定するように構成されている。
【００５０】
例えば、入力シンボルを構成するビットｙ０，ｓ〜ｙ９，ｓが（００１００１１１００）である場合、かかる入力シンボルの実数部分の配置を示すｕの値は、図２５においてビットｙ０，ｓ〜ｙ９，ｓの偶数ビット（ｙ０，ｓ、ｙ２，ｓ、ｙ４，ｓ、ｙ６，ｓ、ｙ８，ｓ）＝（０１０１０）に対応するｕ３であり、かかる入力シンボルの虚数部分の配置を示すｕの値は、図２６においてビットｙ０，ｓ〜ｙ９，ｓの奇数ビット（ｙ１，ｓ、ｙ３，ｓ、ｙ５，ｓ、ｙ７，ｓ、ｙ９，ｓ）＝（００１１０）に対応するｕ１１である。
【００５１】
その結果、マッピング部１１ａ／１１ｂは、キャリア変調方式として１０２４ＱＡＭが用いられる場合で、且つ、符号化率が５／１５である場合に、入力シンボル（００１００１１１００）のＩ軸上の配置を「０．１２７５（図２４におけるｕ３に対応）」とし、入力シンボル（００１００１１１００）のＱ軸上の配置を「０．６９３４（図２４におけるｕ１１に対応）」とするように構成されている。
【００５２】
第２に、マッピング部１１ａ／１１ｂは、キャリア変調方式として４０９６ＱＡＭが用いられている場合、図２７〜図２９に示すテーブルを用いて、各信号点のＩ軸上の配置及びＱ軸上の配置を決定するように構成されている。
【００５３】
図２７に示すテーブルは、符号化率が６／１５、８／１５、９／１５、１０／１５、１１／１５、１２／１５及び１３／１５の場合のｕ０〜ｕ３１の値を規定している。
【００５４】
また、図２８は、入力シンボルの実数部分の配置（Ｉ軸上の配置）を示すｕの値を規定しており、図２９は、入力シンボルの虚数部分の配置（Ｑ軸上の配置）を示すｕの値を規定している。
【００５５】
具体的には、マッピング部１１ａ／１１ｂは、図２８及び図２９を参照して、入力シンボルの実数部分の配置を示すｕの値及び入力シンボルの虚数部分の配置を示すｕの値を算出し、図２７を参照して、これらのｕの値に対応する入力シンボルのＩ軸上の配置（実数部分の配置）及びＱ軸上の配置（虚数部分の配置）を決定するように構成されている。
【００５６】
例えば、入力シンボルを構成するビットｙ０，ｓ〜ｙ１１，ｓが（００１０１００１１１００）である場合、かかる入力シンボルの実数部分の配置を示すｕの値は、図２８においてビットｙ０，ｓ〜ｙ１１，ｓの偶数ビット（ｙ０，ｓ、ｙ２，ｓ、ｙ４，ｓ、ｙ６，ｓ、ｙ８，ｓ、ｙ１０，ｓ）＝（０１１０１０）に対応するｕ１２であり、かかる入力シンボルの虚数部分の配置を示すｕの値は、図２９においてビットｙ０，ｓ〜ｙ１１，ｓの奇数ビット（ｙ１，ｓ、ｙ３，ｓ、ｙ５，ｓ、ｙ７，ｓ、ｙ９，ｓ、ｙ１１，ｓ）＝（０００１１０）に対応するｕ２７である。
【００５７】
その結果、マッピング部１１ａ／１１ｂは、キャリア変調方式として４０９６ＱＡＭが用いられる場合で、且つ、符号化率が１１／１５である場合に、入力シンボル（００１０１００１１１００）のＩ軸上の配置を「０．４００１（図２７におけるｕ１２に対応）」とし、入力シンボル（００１０１００１１１００）のＱ軸上の配置を「１．１０１９（図２７におけるｕ２７に対応）」とするように構成されている。
【００５８】
レベル調整部１２ａは、Ａ階層データがマッピングされているデータキャリア（以下、Ａ階層データとする）のレベルを調整するように構成されており、レベル調整部１２ｂは、Ｂ階層データがマッピングされているデータキャリア以下、Ｂ階層データとする）のレベルを調整するように構成されている。
【００５９】
階層合成部１３は、Ａ階層データ及びＢ階層データを合成するように構成されている。ここで、互換モードのセグメント構造が用いられる場合、階層合成部１３は、かかる調整帯域に配置されるデータキャリア（以下、調整帯域データとする）を分離して、帯域合成部１８に送信するように構成されている。かかる調整帯域には、Ｂ階層データがマッピングされるものとする。
【００６０】
なお、ノーマルモードのセグメント構造では、１チャネル内において、中央の９個のセグメントが部分受信帯域であり、かかる部分受信帯域αの両側に配置された２４個のセグメントが非部分受信帯域である。
【００６１】
また、互換モードのセグメント構造では、１チャネル内において、中央の９個のセグメントが部分受信帯域であり、かかる部分受信帯域の両外側に配置された２４個のセグメントが非部分受信帯域であり、かかる非部分受信帯域の両外側に配置されるのが調整帯域γである。
【００６２】
一方、拡張モードのセグメント構造では、１チャネル内において、中央の９個のセグメントが部分受信帯域であり、かかる部分受信帯域の両外側に配置された２６個のセグメントが非部分受信帯域である。
【００６３】
ここで、階層合成部１３は、周波数方向に等しい間隔でＢ階層データ（すなわち、Ｂ階層データがマッピングされているデータキャリア）を引き抜き、調整帯域データとするように構成されていてもよい。
【００６４】
時間インターリーブ部１４は、Ａ階層データ及びＢ階層データ（互換モードの場合、調整帯域データも）の各々に対して時間インターリーブを施すように構成されている。
【００６５】
階層内セグメント間インターリーブ部１５ａは、Ａ階層データを構成する全てのセグメント内においてデータキャリア単位で周波数インターリーブを施すように構成されている。
【００６６】
同様に、階層内セグメント間インターリーブ部１５ｂは、Ｂ階層データを構成する全てのセグメント内においてデータキャリア単位で周波数インターリーブを施すように構成されている。
【００６７】
分離合成部１６は、Ａ階層データ及びＢ階層データから、部分受信帯域データ及び非部分受信帯域データを生成するように構成されている。
【００６８】
具体的には、分離合成部１６は、９個のセグメントからなる部分受信帯域にＡ階層データを割り当てた後に空きがある場合にＢ階層データを割り当てることによって部分受信帯域データを生成し、２４個のセグメントからなる非部分受信帯域にＢ階層データの残りを割り当てることによって非部分受信帯域データを生成するように構成されている。
【００６９】
例えば、Ａ階層データが９個未満のセグメントからなる場合、分離合成部１６は、Ｂ階層データのうちセグメント番号の低い方から順番に部分受信帯域に割り当てていき、Ａ階層データ及びＢ階層データを合わせて９個のセグメントからなる部分受信帯域データを生成するように構成されていてもよい。
【００７０】
一方、Ａ階層データが９個のセグメントからなる場合、分離合成部１６は、Ａ階層データを部分受信帯域データとし、Ｂ階層データを非部分受信帯域データとするように構成されていてもよい。
【００７１】
周波数インターリーブ部１７は、部分受信帯域データ及び非部分受信帯域データの各々に対して所定の周波数インターリーブを施すように構成されている。
【００７２】
帯域合成部１８は、部分受信帯域データ及び非部分受信帯域データ（互換モードの場合は、調整帯域データも）を合成するように構成されている。例えば、帯域合成部１８は、１チャネル内において、中央の９セグメントに部分受信帯域データを配置し、部分受信帯域データ及び非部分受信帯域データを合成するように構成してもよい。
【００７３】
ＯＦＤＭフレーム構成部１９は、帯域合成部１８から入力した部分受信帯域データ及び非部分受信帯域データに応じて、ＯＦＤＭフレームを構成するように構成されており、ＩＦＦＴ部２０は、それぞれＯＦＤＭフレーム構成部１９から出力されたＯＦＤＭフレームに対してＩＦＦＴを施すように構成されている。
【００７４】
送信部２１は、それぞれＩＦＦＴ部２０から出力されたＯＦＤＭ信号を送信するように構成されている。すなわち、送信部２１は、部分受信帯域データ及び非部分受信帯域データ（互換モードの場合は、調整帯域データも）を含むＯＦＤＭ信号を送信するように構成されている。
【００７５】
本実施形態に係る受信装置３は、ＯＦＤＭ信号を受信するように構成されており、１以
上の階層データ（本実施形態では、２階層までの階層伝送によって送信されたＡ階層データ及びＢ階層データ）を受信することができるように構成されている。
【００７６】
なお、本実施形態に係る受信装置３は、Ａ階層データ及びＢ階層データを、上述の部分受信帯域データ及び非部分受信帯域データを含むＯＦＤＭ信号によって受信するように構成されている。
【００７７】
本実施形態に係る受信装置３は、図３０に示すように、受信部３１と、ＦＦＴ部３２と、デフレーム化部３３と、帯域分離部３４と、周波数デインターリーブ部３５と、合成分離部３６と、階層内セグメント間デインターリーブ部３７ａ、３７ｂと、時間デインターリーブ部３８と、階層分離部３９と、レベル調整部４０ａ、４０ｂと、デマッピング部４１ａ、４１ｂとを具備している。
【００７８】
受信部３１は、送信装置１によって送信されたＯＦＤＭ信号を受信するように構成されている。
【００７９】
ＦＦＴ部３２は、受信部３１によって受信されたＯＦＤＭ信号に対してＦＦＴを施すように構成されている。
【００８０】
デフレーム化部３３は、ＦＦＴ部３２からの出力に基づいて、部分受信帯域データ及び非部分受信帯域データ（互換モードの場合は、調整帯域データも）の合成データを取得するように構成されている。
【００８１】
帯域分離部３４は、デフレーム化部３３から出力された合成データから、部分受信帯域データ及び非部分受信帯域データ（互換モードの場合は、調整帯域データも）を分離して取得するように構成されている。
【００８２】
周波数デインターリーブ部３５は、部分受信帯域データ及び非部分受信帯域データの各々に対して、上述の周波数インターリーブ部１７において施された所定の周波数インターリーブに対応する周波数デインターリーブを施すように構成されている。
【００８３】
合成分離部３６は、部分受信帯域データ及び非部分受信帯域データから、Ａ階層データ及びＢ階層データを取得するように構成されている。
【００８４】
階層内セグメント間デインターリーブ部３７ａは、Ａ階層データを構成する全てのセグメントＡ内においてデータキャリア単位で周波数デインターリーブを施すように構成されている。
【００８５】
同様に、階層内セグメント間デインターリーブ部３７ｂは、Ｂ階層データを構成する全てのセグメントＢ内においてデータキャリア単位で周波数デインターリーブを施すように構成されている。
【００８６】
時間デインターリーブ部３８は、Ａ階層データ及びＢ階層データ（互換モードの場合は、調整帯域データも）の各々に対して時間デインターリーブを施すように構成されている。
【００８７】
階層分離部３９は、Ａ階層データ及びＢ階層データを分離するように構成されている。ここで、互換モードのセグメント構造が用いられる場合、階層分離部３９は、調整帯域データに含まれているＢ階層データも抽出するように構成されていてもよい。すなわち、階層分離部３９は、時間デインターリーブ部３８から出力されたＢ階層データに対して、調整帯域データを等間隔で挿入するように構成されている。
【００８８】
レベル調整部４０ａは、Ａ階層データのレベルを調整するように構成されており、レベル調整部４０ｂは、Ｂ階層データのレベルを調整するように構成されている。
【００８９】
デマッピング部４１ａは、データキャリアからＡ階層データをデマッピングするように構成されており、デマッピング部４１ｂは、データキャリアからＢ階層データをデマッピングするように構成されている。
【００９０】
デマッピング部４１ａ／４１ｂは、上述のマッピング部１１ａ／１１ｂと同様の方法で、キャリア変調方式の種類に対応するテーブルに従って、各信号点（シンボル）のＩ軸上の配置（コンスタレーション）及びＱ軸上の配置を決定するように構成されている。
【００９１】
本実施形態に係る放送システムによれば、次世代の地上デジタル放送伝送方式において、伝送レートの向上と共に雑音耐性の向上を実現することができる。
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００９２】
上述の実施形態では、１本の送受信アンテナによるＳＩＳＯ（Ｓｉｎｇｌｅ−Ｉｎｐｕｔ  Ｓｉｎｇｌｅ−Ｏｕｔｐｕｔ）が適用されているケースを挙げて説明しているが、本発明は、かかるケースに限定されることはなく、複数本の送受信アンテナによるＭＩＭＯ（Ｍｕｌｔｉ−Ｉｎｐｕｔ  Ｍｕｌｔｉ−Ｏｕｔｐｕｔ）が適用されているケース等にも適用可能である。
【００９３】
また、上述の実施形態では、２階層までの階層伝送を行うケースを例に挙げて説明したが、本発明は、かかるケースに限定されることなく、３階層までの階層伝送を行うケースにも適用可能である。
【００９４】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００９５】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【００９６】
１…送信装置
１１ａ、１１ｂ…マッピング部
１２ａ、１２ｂ…レベル調整部
１３…階層合成部
１４…時間インターリーブ部
１５ａ、１５ｂ…階層内セグメント間インターリーブ部
１６…分離合成部
１７…周波数インターリーブ部
１８…帯域合成部
１９…ＯＦＤＭフレーム構成部
２０…ＩＦＦＴ部
２１…送信部
３…受信装置
３１…受信部
３２…ＦＦＴ部
３３…デフレーム化部
３４…帯域分離部
３５…周波数デインターリーブ部
３６…合成分離部
３７ａ、３７ｂ…階層内セグメント間デインターリーブ部
３８…時間デインターリーブ部
３９…階層分離部
４０ａ、４０ｂ…レベル調整部
４１ａ、４１ｂ…デマッピング部
【図１】
2018110376.tif 000029
【図２】
2018110376.tif 000030
【図３】
2018110376.tif 000031
【図４】
2018110376.tif 000032
【図５】
2018110376.tif 000033
【図６】
2018110376.tif 000034
【図７】
2018110376.tif 000035
【図８】
2018110376.tif 000036
【図９】
2018110376.tif 000037
【図１０】
2018110376.tif 000038
【図１１】
2018110376.tif 000039
【図１２】
2018110376.tif 000040
【図１３】
2018110376.tif 000041
【図１４】
2018110376.tif 000042
【図１５】
2018110376.tif 000043
【図１６】
2018110376.tif 000044
【図１７】
2018110376.tif 000045
【図１８】
2018110376.tif 000046
【図１９】
2018110376.tif 000047
【図２０】
2018110376.tif 000048
【図２１】
2018110376.tif 000049
【図２２】
2018110376.tif 000050
【図２３】
2018110376.tif 000051
【図２４】
2018110376.tif 000052
【図２５】
2018110376.tif 000053
【図２６】
2018110376.tif 000054
【図２７】
2018110376.tif 000055
【図２８】
2018110376.tif 000056
【図２９】
2018110376.tif 000057
【図３０】
2018110376.tif 000058